(57)【要約】【課題】液の透過性や引き込み性に優れた吸液面を有する吸収体を効率良く製造することができる、吸収体の製造方法を提供すること。【解決手段】吸収体の製造方法であって、高吸収性ポリマーを、第１コアラップシート５Ａの細孔径より粒径の大きい大径粒子４Ａと該細孔径より粒径の小さい小径粒子４Ｂとに分級し、該大径粒子４Ａを、第１コアラップシート５Ａに散布した後、第１コアラップシート５Ａを、積繊ドラム２のダクト３に覆われた部分に移動させ、該部分において、該シート５Ａ上に、繊維材料４Ｃ及び小径粒子４Ｂを吸引により堆積させることを特徴とする。【選択図】図１
2008284182.tif 000002
【特許請求の範囲】
【請求項１】
積繊ドラムの外周面上に供給した第１コアラップシート上に、該積繊ドラムの一部を覆うダクトを介して供給した飛散状態の繊維材料及び高吸収性ポリマーの粒子を吸引により堆積させて吸収性コアを形成し、該吸収性コアの第１コアラップシート側の面とは反対側の面を、第１コアラップシートの折り返した部分又は第２コアラップシートにより被覆して吸収体連続体を得、次いで該吸収体連続体を個々の吸収体の長さに切断して吸収体を得る吸収体の製造方法であって、
高吸収性ポリマーを、第１コアラップシートの細孔径より粒径の大きい大径粒子と該細孔径より粒径の小さい小径粒子とに分級し、該大径粒子を、前記ダクトに覆われた部分に移動させる前の第１コアラップシートに散布した後、第１コアラップシートを、該ダクトに覆われた部分に移動させ、該部分において、該シート上に前記繊維材料及び前記小径粒子を吸引により堆積させることを特徴とする、吸収体の製造方法。
【請求項２】
第１コアラップシートとして、積層された上部繊維層と下部繊維層とを有し、上部繊維層及び下部繊維層が部分的に接合されて多数の接合部が形成されており、該上部繊維層の該接合部以外の部分により多数の凸部が形成されている立体シートを用い、前記積繊ドラムの外周面上に、該立体シートを、該上部繊維層側を該積繊ドラムの軸芯側に向けて供給する、請求項１記載の吸収体の製造方法。
【請求項３】
第１コアラップシートの平均細孔径が２５０〜２０００μｍである、請求項１又は２記載の吸収体の製造方法。
【発明の詳細な説明】
【技術分野】
【０００１】
本発明は、吸収体の製造方法に関する。
【背景技術】
【０００２】
使い捨ておむつ等の吸収性物品は、一般的に、液透過性の表面シート、液不透過性又は撥水性の裏面シート及び両シート間に介在配置された液保持性の吸収体を備えている。また、このような吸収体として、パルプ繊維等の繊維材料と高吸収性ポリマーとからなる吸収性コアがコアラップシートで被覆された構成のものが汎用されている。
【０００３】
このような吸収体の製造には、外周面に複数の集積用凹部が形成された積繊ドラムと、該積繊ドラムの外周面の一部を覆う一端部を有し、飛散状態とされた繊維材料及び高吸収性ポリマーを、該積繊ドラムの外周面に供給するダクトとを備えた積繊装置が広く用いられている。
また、このような積繊装置を用いた吸収体の製造方法として、積繊ドラムの外周面にコアラップシートを供給し、該シートが内面に沿って配された状態の集積用凹部内に繊維材料及び高吸収性ポリマーを堆積させた後、それらの堆積物を該シートと共に集積用凹部から離型させる方法も知られている（例えば、特許文献１参照）。
【０００４】
また、特許文献２には、積繊装置を用いて吸収体を製造する際に、高吸収性ポリマーの供給路を２本に分岐させることが記載されているが、高吸収性ポリマーの分級は行っていない（特許文献２参照）。
【０００５】
【特許文献１】特開平１０−１３７２８６号公報
【特許文献１】特開昭６３−５９４６３号公報
【発明の開示】
【発明が解決しようとする課題】
【０００６】
しかし、コアラップシート上に繊維材料及び高吸収性ポリマーを堆積させる従来の方法においては、集積用凹部の底面部に設けられた多数の吸引孔が頻繁に目詰まりを起こすのを防止するために、該コアラップシートとして、該シート上に供給する繊維材料や高吸収性ポリマーの粒子の大きさに比して十分に目の細かい薄葉紙を用いており、そのため、得られた吸収体の該薄葉紙からなる面は、液の透過性や引き込み性が悪いという問題があった。そのため、薄葉紙からなる面を肌当接面側に向けて吸収性物品に組み込む場合には、薄葉紙からなる面上に、表面シートから素早く液を引き込みかつ薄葉紙の面上で液を拡散させるセカンドシート等を配することが必要であった。
【０００７】
本発明の目的は、液の透過性や引き込み性に優れた吸液面を有する吸収体を効率良く製造することができる、吸収体の製造方法を提供することにある。
【課題を解決するための手段】
【０００８】
本発明は、積繊ドラムの外周面上に供給した第１コアラップシート上に、該積繊ドラムの一部を覆うダクトを介して供給した飛散状態の繊維材料及び高吸収性ポリマーの粒子を吸引により堆積させて吸収性コアを形成し、該吸収性コアの第１コアラップシート側の面とは反対側の面を、第１コアラップシートの折り返した部分又は第２コアラップシートにより被覆して吸収体連続体を得、次いで該吸収体連続体を個々の吸収体の長さに切断して吸収体を得る吸収体の製造方法であって、高吸収性ポリマーを、第１コアラップシートの細孔径より粒径の大きい大径粒子と該細孔径より粒径の小さい小径粒子とに分級し、該大径粒子を、前記ダクトに覆われた部分に移動させる前の第１コアラップシートに散布した後、第１コアラップシートを、該ダクトに覆われた部分に移動させ、該部分において、該シート上に前記繊維材料及び前記小径粒子を吸引により堆積させることを特徴とする、吸収体の製造方法を提供することにより前記目的を達成したものである。
【発明の効果】
【０００９】
本発明の吸収体の製造方法によれば、比較的目が粗いシートを、吸収性コアの原料である繊維材料及び高吸収性ポリマーを堆積させるシートとして用いることができ、かつ高吸収性ポリマーの分布の中で液透過性の物性に優れた大粒径側を比較的目が粗いシートの面上に堆積させるため、液の透過性や引き込み性に優れた吸液面を有する吸収体を効率良く製造することができる。
【発明を実施するための最良の形態】
【００１０】
以下、本発明をその好ましい実施形態に基づいて説明する。
先ず、本発明の一実施形態の実施に好ましく用い得る吸収体の製造装置１について説明する。
吸収体の製造装置１は、図１に示すように、外周面に複数の集積用凹部２１が所定の間隔で形成された積繊ドラム２と、積繊ドラム２の外周面の一部を覆う一端部を有し、飛散状態とされた吸収性コアの原料（繊維材料及び高吸収性ポリマー）を、積繊ドラム２の外周面に供給するダクト３を備えている。
【００１１】
積繊ドラム２は、円筒状をなし、図１中の矢印Ａ方向に回転駆動されるようになされている。積繊ドラム２の外周面には、製造する吸収性コア４０の平面視形状に対応する形状の集積用凹部２１，２１・・が形成されている。積繊ドラム２には、吸気ファン（図示せず）が接続されており、該吸気ファンの駆動により、積繊ドラム内の仕切られた空間Ｂ及びＣが負圧に維持されるようになっている。個々の集積用凹部２１の底面部には、多数の細孔（図示せず）が形成されており、集積用凹部２１が負圧に維持された空間Ｂ，Ｃ上を通過している間、該集積用凹部２１の底面部の細孔が吸引孔として機能する。
【００１２】
ダクト３における、積繊ドラム２側とは反対側の端部付近には、パルプ繊維等の繊維材料４Ｃをダクト３内に飛散状態として供給する繊維材料供給装置（図示せず）が設けられている。また、ダクト３における、積繊ドラム２と前記繊維材料の導入部位との間には、該ダクト３内に、高吸収性ポリマー４Ｂを導入するポリマー導入装置４５のポリマー導入口４６が配置されている。
【００１３】
本吸収体の製造装置１は、更に、集積用凹部２１に繊維材料４Ｃ及び高吸収性ポリマー４Ｂを堆積させる前の積繊ドラム２の外周面上に第１コアラップシート５Ａを供給する第１コアラップシート供給機構と、集積用凹部２１に繊維材料４Ｃ及び高吸収性ポリマー４Ｂを堆積させた後の積繊ドラム２の外周面上に第２コアラップシート５Ｂを供給する第２コアラップシート供給機構と、粒径に分布を有する高吸収性ポリマーを、第１コアラップシート５Ａの細孔径より粒径の大きい大径粒子４Ａと該細孔径より粒径の小さい小径粒子４Ｂとに分級する分級装置４と、分級装置４により分級した大径粒子４Ａを、ダクト３に覆われた部分に移動させる前の第１コアラップシート５Ａに散布するポリマー散布装置４１と、分級装置４により分級した小径粒子４Ｂを、前記ポリマー導入口４６を介してダクト３内に導入する、ポリマー導入装置４５と、積繊ドラムの外周面上に供給する前の第１及び第２コアラップシート５Ａ，５Ｂそれぞれに接着剤を塗工する２つの接着剤塗工装置６Ａ，６Ｂとを備えている。
【００１４】
分級装置４としては、高吸収性ポリマーの粒子を分級可能な各種公知の分級装置を用いることができる。例えば、遠心力により分級する遠心分離型の分級装置や、篩い分けにより分級する篩型の分級装置等を用いることができる。遠心分離型の分級装置としては、例えば、特開平６−６３４５２号公報に記載のサイクロン分離装置等を用いることができ、篩型の分級装置としては、例えば、実開平５―９６８３号公報に記載の分級機、実開平７−２５９７６号公報に記載の分級装置等を用いることができる。
但し、分級装置４は、使用する第１コアラップシート５Ａの細孔径との関係において、該細孔径より粒径の大きい大径粒子４Ａと該細孔径より粒径の小さい小径粒子４Ｂとに分離できるように、遠心力や篩い分けに用いる篩いの目の細かさを調整して使用する。
【００１５】
ポリマー散布装置４１は、移送管４２を介して分級装置４と接続されており、分級装置４から排出された大径粒子４Ａを、内部の図示しない収容部に一端収容した後、該収容部内に収容された大径粒子４Ａを、一定の供給量で、第１コアラップシート５Ａ上に散布するように構成されている。
本実施形態においては、第１コアラップシート５Ａを、バキュームコンベア４３によって搬送し、大径粒子４Ａを、第１コアラップシート５Ａの下面側から吸引しつつ、該シート５Ａの上面側から散布している。大径粒子４Ａは、第１コアラップシート５Ａにおける、後に集積用凹部２１に重ねて配置される部分の全域に少なくとも散布することが好ましく、その場合、集積用凹部２１に重ねて配置される部分のみに間欠的に散布させても良いし、集積用凹部２１に重ねて配置される部分の幅又はそれより広い幅で、第１コアラップシート５Ａの長手方向に連続的に散布させても良い。
【００１６】
ポリマー導入装置４５は、移送管４７を介して分級装置４と接続されており、分級装置４から排出される小径粒子４Ｂを、内部の図示しない収容部に一端収容した後、該収容部内に収容された小径粒子４Ｂを、一定の供給量で、ポリマー導入口４６からダクト３内に導入するように構成されている。
ポリマー散布装置４１やポリマー導入装置４５による一定供給量の散布や導入は、各種公知の手法により行うことができ、例えば、オーガーといわれる大きなねじ状の部材を回転させたり止めたりすることにより行うことができる。ポリマーの導入は、オーガーのねじの穴（隙間）の中へポリマーを充填させ、オーガーを回転させて行う。ポリマーの供給量は、オーガーの回転速度により調整する。また、必要に応じてオーガーの回転速度を変動させてポリマーの供給量の設定値を変えることもできる。
【００１７】
接着剤塗工装置６Ａは、第１コアラップシート５Ａと高吸収性ポリマーの大径粒子４Ａとを接着させるための接着剤を塗工するものであるが、大径粒子４Ａとの関係で言えば、パターン塗工かスプレー塗工好ましい。
【００１８】
接着剤塗工装置６Ｂは、第２コアラップシート５Ｂと第１コアラップシート５Ａ及び吸収性コア４０とを接着させるための接着剤を塗工するものであるが、第１コアラップシート上に形成した吸収性コア４０との関係で言えば、コーター、スプレー、スパイラル、パターン塗工が好ましい。
【００１９】
接着剤塗工装置６Ａ，６Ｂによる接着剤の塗工態様は、ベタ塗り、スプレー塗工、スパイラル、ストライプ、ドットのパターン塗工等が挙げられるが、使い捨ておむつ等の吸収性物品に組み込まれたときに肌側に配されるコアラップシートの塗工パターンは、吸収性能を阻害しないように、スパイラル、ストライプ、ドット等のパターン塗工が好ましい。接着剤は、従来、使い捨ておむつ等の吸収性物品の製造に用いられている各種のものを特に制限なく用いることができ、ホットメルト型接着剤であることが好ましい。
【００２０】
次に、上述した吸収体の製造装置１を用いて、繊維材料及び高吸収性ポリマーからなる吸収性コアが第１及び第２コアラップシートに被覆された構造の吸収体を製造する方法、即ち、本発明の吸収体の製造方法の一実施態様について説明する。
本実施態様において、上述した吸収体の製造装置１を用いて吸収体を製造するには、先ず、積繊ドラム２を回転させると共に、上記吸気ファンを作動させ、更に第１及び第２コアラップシート供給機構、分級装置４、及び接着剤塗工装置６Ａ，６Ｂを作動させる。
吸気ファンの作動により、空間Ｂ上に位置する集積用凹部２０の底面部に吸引力が生じると共に、ダクト３内に、積繊ドラム２の外周面に向けて流れる空気流が生じる。
【００２１】
そして、分級装置４に、粒径に分布を有する高吸収性ポリマーを供給すると共に、ポリマー散布装置４１，ポリマー導入装置４５、繊維材料供給装置を作動させると、分級装置４に供給された高吸収性ポリマーは、第１コアラップシート５Ａの細孔径より粒径の大きい大径粒子４Ａと該細孔径より粒径の小さい小径粒子４Ｂとに分級される。
そして、分級された大径粒子４Ａは、移送管４２を介してポリマー散布装置４１に移送され、ポリマー散布装置４１により第１コアラップシート５Ａ上に散布される。
【００２２】
大径粒子４Ａが散布した後の第１コアラップシート５Ａは、バキュームコンベア４３の一部やガイドロール等からなる第１コアラップシート供給機構により、積繊ドラム２の外周面上に供給され、更に積繊ドラム２の回転に伴って、該ダクト３に覆われた部分へと移動する。
そして、ダクト３内を空気流に載せて搬送されてきた繊維材料４Ｃ及び小径粒子４Ｂが、該ダクト３に覆われた部分において、集積用凹部２１に位置した第１コアラップシート５Ａ上、より具体的には該シート５Ａにおける大径粒子４Ａが散布された面上に吸い寄せられて堆積する。
【００２３】
この小径粒子４Ｂ及び繊維材料４Ｃの堆積により、各集積用凹部２１内に、大径粒子４Ａ、小径粒子４Ｂ及び繊維材料４Ｃからなる吸収性コア４０が形成される。
そして、片面側に吸収性コア４０が形成された第１コアラッシート５Ａは、積繊ドラム２の回転に伴って、該ダクト３に覆われた部分の外部に移動し、その直後に、その第１コアラッシート５Ａの吸収性コア４０が形成された面側に、第２コアラップシート供給機構によって第２コアラップシート５Ｂが供給されて積層される。
このようにして、大径粒子４Ａ、小径粒子４Ｂ及び繊維材料４Ｃからなる吸収性コア４０が、第１及び第２コアラップシート５Ａ，５Ｂ間に配置された構成の吸収体連続体１０Ａが得られる。
【００２４】
そして、その吸収体連続体１０Ａは、積繊ドラム内の陽圧とされた空間Ｄ上に移動し、該空間Ｄ上において、裏面から加わる風圧によって、積繊ドラムの外周面から離れ、次工程へと搬送するベルトコンベア等の搬送手段（図示せず）へと受け渡される。
次工程に搬送された吸収体連続体１０Ａは、単独状態、あるいはおむつ連続体に組み込まれた状態とされた後、おむつ１枚分の長さに切断されて個々の吸収体１とされる。
【００２５】
本実施態様においては、第１コアラップシート５Ａに、その細孔径より大径の大径粒子４Ａを散布した後、該シート５Ａ上に小径粒子４Ｂ及び繊維材料４Ｃを堆積させるようにしたため、該シート５Ａの細孔径より小径の小径粒子４Ｂを、該シート５Ａ上に確実に捕捉して堆積させることができる。
そのため、第１コアラップシート５Ａを抜けた高吸収性ポリマーや繊維材料によって、積繊ドラム２の吸引孔が目詰まりを起こしにくくなり、積繊ドラム２の清掃頻度や高吸水性ポリマー等の無駄を大幅に削減することができる。
【００２６】
また、大径粒子４Ａを先に散布しておくことにより、小径粒子４Ｂ及び繊維材料４Ｃを吸引堆積させる際、あるいは吸収体連続体１０Ａないし吸収体１０とされた後に、第１コアラップシート５Ａ側から小径粒子４Ｂや繊維材料４Ｃが漏れ出すことを防止できるため、第１コアラップシート５Ａとして、従来用いられていたものに比して、細孔径の大きいものを用いることができる。
【００２７】
細孔径が大きい第１コアラップシート５Ａを用いると、得られた吸収体１０を、該シート５Ａ側の面を肌当接面側に向けて吸収性物品１００に使用したときに、該シート５Ａからなる面の液の透過性や引き込み性が向上する。
図２は、上述した製造方法により得られた吸収体１０を、第１コアラップシート５Ａ側の面が肌当接面を形成するようにして、使い捨ておむつや生理用ナプキン等の吸収性物品に組み込んだ状態を示す模式断面図である。
図２に示す吸収性物品においては、吸収性コア４０の厚み方向における、第１コアラップシート５Ａ側に大径粒子４Ａの含有割合の多い層が形成され、第２コアラップシート５Ｂ側に小径粒子４Ｂ及び繊維材料４Ｃの含有割合の多い層が形成されている。
【００２８】
液の透過性や引き込み性が良好な受液面を形成させる観点、及び製造時や吸収性物品の使用時におけるポリマーの漏れ出しを防止する観点等から、第１コアラップシートは、平均細孔径が、２５０〜２０００μｍのものを用いることが好ましく、より好ましくは３００〜１０００μｍのもの、特に好ましくは５００〜８００μｍのものを用いることが好ましい。
ここで、コアラップシートの平均細孔径は以下のようにして測定される。
〔第一コアラップシートの平均細孔径の測定方法〕
ＪＩＳ  Ｋ３８３２「精密ろ過膜エレメント及びモジュールのバブルポイント試験方法」に準拠したバブルポイント法により測定することができる。測定に用いる測定機器としては、例えば、パームポロメーター（Ｐｅｒｍ−Ｐｏｒｏｍｅｔｅｒ、型式ＣＰＰ−１２０ＡＥＸＬ−ＥＳＡ、西華産業株式会社）が挙げられる。試験液には蒸留水、イオン交換水もしくは同等の水を用いる。
平均細孔径は、ＡＳＴＭＦ３１６−８６に準拠して測定することもできる。
【００２９】
また、分級に供する高吸収性ポリマーは、第１コアラップシート５Ａの目から通り抜けるのを防ぐ点、及び該シート上から飛散する点から、第１コアラップシート５Ａの細孔径との関係において、以下のような粒度分布を有することが好ましい。
第１コアラップシート５Ａの細孔径の分布のピーク以上の領域において高吸収性ポリマーの分布が１０％以上〜５０％未満の分布をもつ高吸収性ポリマーが好ましい。
【００３０】
また、分級装置による分級は、ポリマー散布装置４１に移送する、大径粒子４Ａを主体とするポリマーと、ポリマー導入装置４５に移送する、小径粒子４Ｂを主体とするポリマーとの割合（前者：後者、重量比）が、１：９〜５：５となるように行うことが好ましい。
また、吸収性コア４０中における全高吸水性ポリマーと繊維材料との割合（前者：後者、重量比）は、吸収体の具体的用途および高吸水性ポリマーの平均物性等に応じて適宜に決定することができ、例えば、４：６〜９：１とすることができる。
【００３１】
第１コアラップシート５Ａとしては、使い捨ておむつ等の吸収性物品の構成材料として従来用いられている各種のシート材を用いることができ、ティッシュペーパー等の紙を用いることもできるが、不織布を用いることが好ましい。
不織布としては、各種製法による不織布を特に制限なく用いることができ、例えばスパンボンド不織布、ニードルパンチ不織布、スパンレース不織布、エアースルー不織布、スパンボンド−メルトブローン−スパンボンド不織布（ＳＭＳ）、スパンボンド−メルトブローン−メルトブローン−スパンボンド不織布（ＳＭＭＳ）等が挙げられる。これらの中でも柔らかさ等の観点から、エアースルー不織布、スパンボンド−メルトブローン−スパンボンド不織布（ＳＭＳ）、あるいは最上層がそのような不織布からなる多層不織布を用いることが好ましい。
【００３２】
第１コアラップシートに不織布を用いた場合、得られた吸収体を、該シート側の面を肌当接面側に向けて吸収性物品に使用したときに、該シートからなる面の肌触りが良く、該シートに、従来の表面シートとしての機能を兼ねさせることができる。即ち、第１コアラップシート５Ａからなる面を、図２に示すように、吸収性物品の肌当接面として用いることもできる。
第１コアラップシートに用いる不織布は、ポリエチレンやポリプロピレン等のポリオレフィンや、ポリエチレンテレフタレート等のポリエステル、ナイロン（登録商標）等のポリアミド等の熱可塑性ポリマー材料からなる繊維を構成繊維とすることが好ましく、これらの繊維は、芯鞘型あるいはサイドバイサイド型等の複合繊維であっても良い。
【００３３】
また、第１コアラップシート５Ａとして、図３に示すように、積層された上部繊維層５１と下部繊維層５２とを有し、上部繊維層５１及び下部繊維層５２が部分的に接合されて多数の接合部５３が形成されており、該上部繊維層５１の該接合部５３以外の部分により多数の凸部５４が形成されている立体シート５０を用いることも好ましい。
この立体シート５０を、積繊ドラム２の外周面上に供給する際には、上部繊維層５１側を該積繊ドラム２の軸芯側に向けて供給し、該立体シート５０の下部繊維層５２側に、吸収性コア４０を形成させる。
【００３４】
立体シート５０は、図３に示すように、上部繊維層５１及び下部繊維層５２が積層された構造を有する。立体シート５０は、上部繊維層５１及び下部繊維層５２が部分的に接合されて多数の接合部５３が形成されていると共に、該接合部５３以外において上部繊維層５１により多数の凸部５４が形成されている。凸部５４の内部は、上部繊維層５１の構成繊維によって満たされているいても良いが、凸曲面状をなす上部繊維層５１と平坦な下部繊維層５２との間に空洞が形成されていることが好ましい。
【００３５】
立体シート５０は、多数の凸部５４が形成されていることにより、着用者の肌と立体シート５０との間の接触面積が小さくなり、吸収性物品の着用時におけるべたつきを低減し、肌触りを向上させることができる。
【００３６】
立体シート５０における凸部５４は、その形状に特に制限はなく、例えば、半球状、直方体状、載頭円錐状、載頭四角錘状等とすることができる。また、凸部５４の高さは、０．２〜５ｍｍであることが好ましく、より好ましくは０．５〜１ｍｍである。凸部５４は、単位面積当たりの個数が、５〜１５個／ｃｍ2であること好ましく、より好ましくは８〜１２個／ｃｍ2である。
【００３７】
上部繊維層５１及び下部繊維層５２としては、不織布や、不織布化されていない繊維ウエブを用いることができる。不織布としては、各種製法による不織布を特に制限なく用いることができ、カード法により製造された不織布、エアースルー不織布、スパンボンド不織布、メルトブローン不織布、スパンレース不織布及びニードルパンチ不織布等の種々の不織布等を用いることができる。下層繊維層は、熱処理により捲縮を発現した潜在捲縮性繊維を６０〜１００重量％、特に７０〜１００重量％含んでなることが好ましく、上層繊維層は、潜在捲縮性繊維の捲縮開始温度では実質的に収縮しない繊維を６０〜１００重量％、特に７０〜１００重量％含んでなることが好ましい。
立体シート５０としては、例えば特開２００４−１７４２３４号公報記載の表面シートを用いることもできる。
【００３８】
第２コアラップシート５Ｂとしては、紙や不織布等を用いることができ、該不織布としては、第２コアラップシートの材料として上述したものを用いることもできる。
但し、第２コアラップシート５Ｂとしては、吸収体の製造時及び吸収性物品の状態における該シート５Ｂ側からの小径粒子４Ｂや繊維材料４Ｃの漏れを防止する観点から、第１コアラップシート５Ａよりも細孔径の小さいシートを用いることが好ましい。
【００３９】
本実施態様において使用した他の材料について説明する。
繊維材料４Ｃとしては、ダクト内を空気流にのせて搬送可能なものを特に制限なく用いることができ、短繊維であることが好ましい。繊維材料４Ｃとしては、パルプ繊維、レーヨン繊維、コットン繊維とのセルロース系繊維の短繊維や、ポリエチレンやポリプロピレン、ポリエチレンテレフタレートなどの合成繊維の親水化処理した短繊維等が好ましい。これらの繊維は、１種を単独で用いても良いし２種以上を組み合わせて用いることもできる。繊維材料は、パルプ繊維を含むものが好ましく、繊維材料中のパルプ繊維の割合は２０〜１００質量％であることが好ましく、より好ましくは８０〜１００質量％であり、更に好ましくは１００質量％である。
【００４０】
高吸収性ポリマーとしては、従来、使い捨ておむつや生理用ナプキン等の吸収性物品の吸収体に用いられている各種のものを特に制限なく用いることができ、例えば、デンプン系、セルロース系、合成ポリマー系のものが挙げられる。高吸収性ポリマーとしては、例えば、デンプン−アクリル酸（塩）グラフト共重合体、デンプン−アクリロニトリル共重合体のケン化物、ナトリウムカルボキシメチルセルロースの架橋物、アクリル酸（塩）重合体からなるもの等を用いることができる。
また、大径粒子４Ａと小径粒子４Ｂとで形成材料が同一であっても異なっていても良い。
【００４１】
以上、本発明の吸収体の一実施形態について説明したが、本発明は、上記実施形態に制限されず適宜変更可能である。
例えば、吸収性コア４のコアラップシートによる被覆の仕方は、第１及び第２コアラップシート５Ａ，５Ｂとして、何れも吸収性コア４の幅よりも幅広のシートを用い、吸収性コア４０の上下面に配された２枚のシートにおける吸収性コア４の両側縁から延出した部分同士を吸収性コア４の側方で接合させても良いし、第１及び第２コアラップシート５Ａ，５Ｂとして、幅の異なる２枚のシートを用い、吸収性コア４０の上下面に配された２枚のシートの一方のシートにおける吸収性コア４の両側縁から延出した部分を折り返して他方のシートに接合しても良く、更に、吸収性コア４の幅の２倍以上の幅を有する一枚の第１コアラップシートの幅方向中央部に吸収性コア４を形成し、該シートの該吸収性コア４の両側縁から延出した部分を、それぞれ、該吸収性コア４の他面側に折り返して接合しても良い。
【００４２】
また、集積用凹部２１（吸収性コア４）の平面視形状は、矩形、楕円形、砂時計型、ひょうたん形状等、任意の形状とすることができる。また、積繊ドラム２に、周方向に連続する集積用凹部２１を形成し、長手方向に連続する吸収性コアを含む吸収体連続体を形成させても良い。
また、大径粒子４Ａの散布は、第１コアラップシートの裏面から吸引しないで行っても良い。
【００４３】
本発明で製造する吸収体は、吸収性物品の吸収体として好ましく用いられる。吸収性物品は、主として尿や経血等の排泄体液を吸収保持するために用いられるものである。吸収性物品には、例えば使い捨ておむつ、生理用ナプキン、失禁パッド等が包含されるが、これらに限定されるものではなく、人体から排出される液の吸収に用いられる物品を広く包含する。
【００４４】
吸収性物品は、典型的には、表面シート、裏面シート及び両シート間に介在配置された液保持性の吸収体を具備しているが、本発明で製造する吸収体は、第１コアラップシートに表面シートの機能を兼ねさせることができ、吸収性物品を製造する際に、表面シートとして用いる不織布の全部あるいは一部を不要とすることもできる。
裏面シートとしては、当該技術分野において通常用いられている材料を特に制限無く用いることができる。
裏面シートとしては、熱可塑性樹脂のフィルムや、該フィルムと不織布とのラミネート等の液透過性ないし撥水性のシートを用いることができる。裏面シートは水蒸気透過性を有していてもよい。吸収性物品は更に、該吸収性物品の具体的な用途に応じた各種部材を具備していてもよい。そのような部材は当業者に公知である。例えば吸収性物品を使い捨ておむつや生理用ナプキンに適用する場合には、吸収体の起立した両側部の更に外側に、一対又は二対以上の立体ガードを配置することができる。
【図面の簡単な説明】
【００４５】
【図１】本発明の一実施態様及びそれに使用する吸収体の製造装置を示す模式図である。
【図２】図１に示す方法又は装置により製造される吸収体を、吸収性物品に組み込んだ状態を示す模式断面図である。
【図３】第１コアラップシートとして好ましく用いられる立体シートの例を示す模式断面図である。
【符号の説明】
【００４６】
１  吸収体の製造装置
２  積繊ドラム
３  ダクト
４  分級装置
４Ａ  大径粒子
４Ｂ  小径粒子
４Ｃ  繊維材料
５Ａ  第１コアラップシート
５Ｂ  第２コアラップシート
６Ａ，６Ｂ  接着剤の塗工装置
１０Ａ  吸収体連続体
１０  吸収体
４０  吸収性コア
３０  防漏シート
１００  吸収性物品
【図１】
2008284182.tif 000003
【図２】
2008284182.tif 000004
【図３】
2008284182.tif 000005